【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
除去可能な透明膜を備えた表面を有する基材を含むパネルであって、前記除去可能な透明膜は、所望の洗浄プロセスによって前記表面から除去可能であり、
前記パネルは、前記除去可能な透明膜と同一の所望の洗浄プロセスによって除去可能となるように、前記除去可能な透明膜と関係付けられた、除去可能なプレゼンスインジケータを含むパネル。
【請求項２】
前記除去可能な膜が、肉眼による視覚的な検査によっては容易に検出できないような、十分な透明性を有する請求項１記載のパネル。
【請求項３】
前記プレゼンスインジケータが、肉眼による視覚的な検査によって容易に検出し得る可視特性を有する請求項２記載のパネル。
【請求項４】
前記基材表面が、親水性コーティングによって与えられる請求項１記載のパネル。
【請求項５】
前記基材表面が、光触媒性コーティングによって与えられる請求項１記載のパネル。
【請求項６】
前記基材表面が、反射性コーティングによって与えられる請求項１記載のパネル。
【請求項７】
前記基材表面が、弱酸または弱塩基の存在に対して耐性を有する請求項１記載のパネル。
【請求項８】
前記除去可能な透明膜が、スパッタ膜である請求項１記載のパネル。
【請求項９】
前記除去可能な透明膜が、１００オングストローム以下の厚みを有する請求項１記載のパネル。
【請求項１０】
前記除去可能な透明膜が、酸化亜鉛を含む請求項１記載のパネル。
【請求項１１】
前記除去可能な透明膜および前記プレゼンスインジケータの両方が、ガラス焼入れ温度において耐久性を有する請求項１記載のパネル。
【請求項１２】
前記除去可能な透明膜および前記プレゼンスインジケータの両方が、水の存在下において安定であるが、弱酸または弱塩基の存在下においては破壊される請求項１記載のパネル。
【請求項１３】
前記プレゼンスインジケータが、前記除去可能な透明膜の外側表面に接触するように設けられている請求項１記載のパネル。
【請求項１４】
前記プレゼンスインジケータが、前記除去可能な透明膜の内側表面に接触するように設けられている請求項１記載のパネル。
【請求項１５】
前記プレゼンスインジケータが、前記除去可能な透明膜の外側表面と接触するように設けられた第１のプレゼンスインジケータと、前記除去可能な透明膜の内側表面と接触するように設けられた第２のプレゼンスインジケータとを含む請求項１に記載のパネル。
【請求項１６】
前記プレゼンスインジケータが、前記除去可能な透明膜中に導入されている請求項１記載のパネル。
【請求項１７】
前記プレゼンスインジケータが、前記除去可能な透明膜中に導入された１種以上の着色剤を含む請求項１記載のパネル。
【請求項１８】
前記プレゼンスインジケータが、前記除去可能な透明膜中に導入された亜化学量論的（substoichiometric）または過化学量論的（superstoichiometric）化合物を含む請求項１記載のパネル。
【請求項１９】
前記プレゼンスインジケータが、前記除去可能な透明膜中に導入された亜化学量論的または過化学量論的酸化亜鉛を含む請求項１記載のパネル。
【請求項２０】
前記プレゼンスインジケータが、連続薄膜を含む請求項１記載のパネル。
【請求項２１】
前記連続薄膜が、有色膜を含む請求項２０記載のパネル。
【請求項２２】
前記連続薄膜が、亜化学量論的または過化学量論的金属酸化物を含む請求項２０記載のパネル。
【請求項２３】
前記連続薄膜が、亜化学量論的または過化学量論的酸化亜鉛を含む請求項２０記載のパネル。
【請求項２４】
前記プレゼンスインジケータが、複数の可視材料堆積物を含む請求項１記載のパネル。
【請求項２５】
前記可視材料堆積物が、互いに離間した位置に、前記除去可能な透明膜と接触させて設けられている請求項２４記載のパネル。
【請求項２６】
前記可視材料堆積物が、パネルが小パネルに切断されたときに、前記小パネルの各々が少なくとも１つの可視材料堆積物を含むように、互いに離間した位置に設けられる請求項２５記載のパネル。
【請求項２７】
前記複数の可視材料堆積物が、１種以上の着色剤を含む請求項２４記載のパネル。
【請求項２８】
前記複数の可視材料堆積物が、亜化学量論的または過化学量論的金属酸化物の堆積物を含む請求項２４記載のパネル。
【請求項２９】
前記複数の可視材料堆積物が、亜化学量論的または過化学量論的酸化亜鉛の堆積物を含む請求項２４記載のパネル。
【請求項３０】
前記複数の可視材料堆積物が、１以上のデカールを含む請求項２４記載のパネル。
【請求項３１】
前記複数の可視材料堆積物が、水溶性インクを含む請求項２４記載のパネル。
【請求項３２】
前記水溶性インクが、水の存在下において安定であるが、弱酸または弱塩基の存在下においては破壊されるインクを含む請求項３１記載のパネル。
【請求項３３】
前記基材表面が、親水性の二酸化ケイ素コーティングによって与えられ、かつ、前記プレゼンスインジケータが、前記親水性コーティングに担持された透明で除去可能な酸化亜鉛保護膜とを有し、前記膜が、視覚的に検出可能な亜化学量論的または過化学量論的酸化亜鉛を含む請求項１記載のパネル。
【請求項３４】
請求項１〜３３のいずれかに記載のパネルの製造方法であって、
（ａ）除去可能な透明膜を備えた表面を有する基材であって、前記除去可能な透明膜が、所望の洗浄プロセスによって前記表面から除去可能である基材を用意する工程と、
（ｂ）前記除去可能な透明膜と同一の所望の洗浄プロセスによって除去可能な、少なくとも１つの除去可能なプレゼンスインジケータを、前記除去可能な透明膜と接触させて含める工程とを含む方法。
【請求項３５】
表面の露出を確実にするために、請求項１〜３３のいずれかに記載のパネルの基材を洗浄する方法であって、
（ａ）請求項１〜３３のいずれかに記載のパネルを用意する工程と、
（ｂ）前記パネルを、前記プレゼンスインジケータが視認できなくなるまで、前記除去可能な透明膜が除去されるように十分に洗浄し、基材表面を露出させる工程とを含む方法。
【手続補正２】
【補正対象書類名】明細書
【補正対象項目名】００１５
【補正方法】変更
【補正の内容】
【００１５】
好ましい実施形態においては、基材の表面は、コーティング２０によって形成されている。コーティング２０は、あらゆる所望の単層コーティングまたは多層の積層体とすることができる。以下に、特定の有用なコーティングについて、更に記述する。しかしながら、あらゆる所望のコーティングが使用可能であり、当業者がコーティング２０として異なるコーティングを選択するのに何の問題もない。
【手続補正３】
【補正対象書類名】明細書
【補正対象項目名】００２８
【補正方法】変更
【補正の内容】
【００２８】
除去可能な透明膜３０は、所望の洗浄プロセスによって除去することができる。洗浄は、従来の洗浄法を用いて実施することができる。例えば、膜は、所望の洗浄液を湿したか、または浸した布で洗浄することができる。洗浄工程は、下に存在する基材表面、すなわちコーティング表面３２を露出させることを望むときはいつでも、実施可能である。好ましくは、基材表面３２は、許容できないような引掻き傷またはその他の損傷なしに、通常のウインドウォッシュ法の過酷な行為に耐えるのに十分な機械的耐久性を有する（例えば、銀は、所望よりも耐久性が低い傾向にあるが、基材と除去可能な透明膜との間に、この銀を含む膜が存在しない。）。また、基材表面３２は、穏やかな酸性または塩基性の洗浄液に対して耐性を有する（すなわち、前記洗浄液の存在下で安定である）ような、十分な化学的耐久性を有することが好ましい。更には、基材表面３２は、穏やかな酸および塩基との接触によって、全く影響されないことが好ましい。
【手続補正４】
【補正対象書類名】明細書
【補正対象項目名】００３７
【補正方法】変更
【補正の内容】
【００３７】
薄膜９０は、除去可能な透明膜３０と接触するあらゆる場所に設けることができる。図１に示す実施形態においては、薄膜は、除去可能な透明膜３０の外側表面に設けられている。図２に示す実施形態においては、薄膜は、除去可能な透明膜の内側表面に設けられている。図３に示す実施形態においては、第１の薄膜が、除去可能な透明膜の外側表面４０に設けられており、第２の薄膜が、除去可能な透明膜の内側表面に設けられている。
【手続補正５】
【補正対象書類名】明細書
【補正対象項目名】００３９
【補正方法】変更
【補正の内容】
【００３９】
図４に示す実施形態においては、可視材料堆積物は、除去可能な透明膜３０の外側表面４０に設けられている一方で、図５においては、可視材料堆積物は、除去可能な透明膜３０の内側表面に設けられている。複数の可視材料堆積物を、除去可能な透明膜３０と接触させて堆積するために、あらゆる適当な方法を使用することができる。幾つかの実施形態においては、堆積物は、スプレーまたはスパッタリングによって堆積される。ゾル−ゲル法を用いて、材料を堆積してもよい。別の実施形態においては、マスクまたはそれに類似の機構を用いて、パターン状の堆積物を設けてもよい。